(57)【要約】【課題】警報出力の誤動作を回避可能な携帯端末装置、無線機、情報処理装置及び置き忘れ防止プログラムを提供することを目的とする。【解決手段】無線機１０から受信した電波の受信レベルが閾値以下であると警報を出力する携帯端末装置２０であって、無線機１０から送信される電波の受信レベルを測定する受信レベル測定部と、前回測定した電波の受信レベルと今回測定した電波の受信レベルとの差を算出し、差が所定値以下である場合に第１の閾値を設定し、算出した差が所定値以上である場合に第１の閾値よりも小さい第２の閾値を設定する閾値設定部と、今回測定した電波の受信レベルと設定された第１の閾値又は前記第２の閾値と比較し、今回測定した電波の受信レベルが設定された第１の閾値又は第２の閾値以下である場合に警報出力部に警報を出力させる警報出力要求部とを有することにより上記課題を解決する。【選択図】図１
2009225194.tif 000002
【特許請求の範囲】
【請求項１】
無線機から送信される電波を受信し、前記電波の受信レベルが閾値以下であると警報を出力する携帯端末装置であって、
前記無線機から送信される電波の受信レベルを、所定時間毎に測定する受信レベル測定部と、
前回測定した電波の受信レベルと今回測定した電波の受信レベルとの差を算出し、算出した差が所定値以下である場合に第１の閾値を設定し、算出した差が所定値以上である場合に第１の閾値よりも小さい第２の閾値を設定する閾値設定部と、
前記今回測定した電波の受信レベルと前記閾値設定部により設定された前記第１の閾値又は前記第２の閾値と比較し、前記今回測定した電波の受信レベルが前記閾値設定部により設定された前記第１の閾値又は前記第２の閾値以下である場合に警報出力部に警報を出力させる警報出力要求部と
を有する携帯端末装置。
【請求項２】
前記警報出力要求部は、前記前回測定した電波の受信レベルと前記閾値設定部により設定された前記第１の閾値又は前記第２の閾値と比較し、前記前回測定した電波の受信レベルが前記閾値設定部により設定された前記第１の閾値又は前記第２の閾値以下である場合に警報出力部に警報を出力させる請求項１記載の携帯端末装置。
【請求項３】
前記無線機から送信される電波を受信する受信部は、前記無線機の固有情報を含んだ電波を受信する請求項１又は２記載の携帯端末装置。
【請求項４】
携帯端末装置から送信される電波を受信し、前記電波の受信レベルが閾値以下であると警報を出力する無線機であって、
前記携帯端末装置から送信される電波の受信レベルを、所定時間毎に測定する受信レベル測定部と、
前回測定した電波の受信レベルと今回測定した電波の受信レベルとの差を算出し、算出した差が所定値以下である場合に第１の閾値を設定し、算出した差が所定値以上である場合に第１の閾値よりも小さい第２の閾値を設定する閾値設定部と、
前記今回測定した電波の受信レベルと前記閾値設定部により設定された前記第１の閾値又は前記第２の閾値と比較し、前記今回測定した電波の受信レベルが前記閾値設定部により設定された前記第１の閾値又は前記第２の閾値以下である場合に警報出力部に警報を出力させる警報出力要求部と
を有する無線機。
【請求項５】
無線機から送信される電波を受信し、前記電波の受信レベルが閾値以下であると警報を出力する情報処理装置であって、
前記無線機から送信される電波を受信する受信部と、
受信した電波の受信レベルを、所定時間毎に測定する受信レベル測定部と、
前回測定した電波の受信レベルと今回測定した電波の受信レベルとの差を算出し、算出した差が所定値以下である場合に第１の閾値を設定し、算出した差が所定値以上である場合に第１の閾値よりも小さい第２の閾値を設定する閾値設定部と、
前記今回測定した電波の受信レベルと前記閾値設定部により設定された前記第１の閾値又は前記第２の閾値と比較し、前記今回測定した電波の受信レベルが前記閾値設定部により設定された前記第１の閾値又は前記第２の閾値以下である場合に警報出力部に警報を出力させる警報出力要求部と
を有する情報処理装置。
【請求項６】
無線機から送信される電波を受信し、前記電波の受信レベルが閾値以下であると警報を出力する情報処理装置を、
前記無線機から送信される電波を受信する受信部と、
受信した電波の受信レベルを、所定時間毎に測定する受信レベル測定部と、
前回測定した電波の受信レベルと今回測定した電波の受信レベルとの差を算出し、算出した差が所定値以下である場合に第１の閾値を設定し、算出した差が所定値以上である場合に第１の閾値よりも小さい第２の閾値を設定する閾値設定部と、
前記今回測定した電波の受信レベルと前記閾値設定部により設定された前記第１の閾値又は前記第２の閾値と比較し、前記今回測定した電波の受信レベルが前記閾値設定部により設定された前記第１の閾値又は前記第２の閾値以下である場合に警報出力部に警報を出力させる警報出力要求部と
して機能させるための置き忘れ防止プログラム。
【発明の詳細な説明】
【技術分野】
【０００１】
本発明は携帯端末装置、無線機、情報処理装置及び置き忘れ防止プログラムに係り、特に電波の受信レベルが閾値以下であると警報を出力する携帯端末装置、無線機、情報処理装置及び置き忘れ防止プログラムに関する。
【背景技術】
【０００２】
例えば携帯端末装置の一例である携帯電話の置き忘れ防止対策として、受信モジュールを搭載した携帯電話（親機）と、無線機の一例である子機との間で定期通信を行うことにより、親機と子機とが一定距離以上離れると、親機のアラーム等の警報が鳴動するシステムが従来から知られている（例えば特許文献１参照）。
【０００３】
このシステムは、子機が電波を送信し、親機が子機からの電波を受信し、受信した電波の信号強度（以下、ＲＳＳＩという）を観測することで、ＲＳＳＩがある一定レベル以下になったときに警報を鳴動させる仕組みとなっている。
【特許文献１】特開２００７−１９７４８号公報
【発明の開示】
【発明が解決しようとする課題】
【０００４】
実使用を考えた場合、上記のような従来のシステムは親機を金属上に置いたとき（アンテナ特性が著しく劣化するため）や親機と子機とのアンテナの放射パターンがちょうどヌル同士の関係になったとき等の条件において、瞬時に著しくＲＳＳＩが低下することが予想される。したがって、上記のような従来のシステムは親機を置き忘れた状況以外でもＲＳＳＩがある一定レベル（閾値）以下になってしまう場合があり、誤動作により警報が鳴動してしまうという問題があった。なお、引用文献１に記載されている従来のシステムではＲＳＳＩの急激な変動に対応できず、誤動作により警報が鳴動してしまうという問題を解消できない。
【０００５】
本発明の一実施形態は、上記の点に鑑みなされたもので、警報出力の誤動作を回避可能な携帯端末装置、無線機、情報処理装置及び置き忘れ防止プログラムを提供することを目的とする。
【課題を解決するための手段】
【０００６】
上記した課題を解決するため、本発明の一実施形態は、無線機から送信される電波を受信し、前記電波の受信レベルが閾値以下であると警報を出力する携帯端末装置であって、前記無線機から送信される電波の受信レベルを、所定時間毎に測定する受信レベル測定部と、前回測定した電波の受信レベルと今回測定した電波の受信レベルとの差を算出し、算出した差が所定値以下である場合に第１の閾値を設定し、算出した差が所定値以上である場合に第１の閾値よりも小さい第２の閾値を設定する閾値設定部と、前記今回測定した電波の受信レベルと前記閾値設定部により設定された前記第１の閾値又は前記第２の閾値と比較し、前記今回測定した電波の受信レベルが前記閾値設定部により設定された前記第１の閾値又は前記第２の閾値以下である場合に警報出力部に警報を出力させる警報出力要求部とを有することを特徴とする。
【０００７】
なお、本発明の一実施形態の構成要素、表現または構成要素の任意の組合せを、方法、装置、システム、コンピュータプログラム、記録媒体、データ構造などに適用したものも本発明の態様として有効である。
【発明の効果】
【０００８】
上述の如く、本発明の一実施形態によれば、警報出力の誤動作を回避可能な携帯端末装置、無線機、情報処理装置及び置き忘れ防止プログラムを提供できる。
【発明を実施するための最良の形態】
【０００９】
次に、本発明を実施するための最良の形態を、以下の実施例に基づき図面を参照しつつ説明していく。
【実施例１】
【００１０】
図１は置き忘れ防止システムの第１実施例のシステム構成図である。図１の置き忘れ防止システム１は、子機１０及び親機２０を有する構成である。子機１０は無線機の一例である。親機２０は携帯端末装置の一例としての携帯電話である。置き忘れ防止システム１は、使用者が子機１０を例えば衣服のポケット等に入れて携帯しておき、親機２０から一定距離以上離れたときに親機２０の警報を出力させることで、親機２０の置き忘れを防止するものである。
【００１１】
子機１０は送信部１１，制御部１２及び置き忘れ防止機能用アンテナ１３を有する構成である。親機２０は受信モジュール２１，無線部２２，携帯電話制御部２３，ブザー等の外部出力２４，キー等の入力部２５及び携帯電話用アンテナ２７を有する構成である。受信モジュール２１は、置き忘れ防止機能用アンテナ２６，受信部２８及び置き忘れ制御部２９を有する構成である。
【００１２】
子機１０は制御部１２が送信部１１を制御し、所定時間毎に（一定の間隔で）子機１０の固有情報を含んだ変調波を置き忘れ防止機能用アンテナ１３から送信する。親機２０は置き忘れ制御部２９が受信部２８を制御し、子機１０からの電波を置き忘れ防止機能用アンテナ２６で受信する。
【００１３】
置き忘れ制御部２９は、子機１０から受信した電波の信号強度（ＲＳＳＩ）を監視している。ＲＳＳＩが閾値以下（圏外）になると、置き忘れ制御部２９は携帯電話制御部２３経由で外部出力２４にブザー等の警報を出力（鳴動）させる。
【００１４】
図２は置き忘れ制御部の一例のブロック図である。置き忘れ制御部２９は、受信レベル測定部３１，閾値設定部３２，警報出力要求部３３及び受信レベル保存部３４を有する構成である。受信レベル測定部３１は子機１０から受信した電波のＲＳＳＩを測定し、受信レベル保存部３４に保存する。閾値設定部３２は後述のように閾値を変化させて、警報の誤動作を回避する。警報出力要求部３３は子機１０から受信した電波のＲＳＳＩが閾値以下になると、携帯電話制御部２３経由で外部出力２４にブザー等の警報を出力させる。
【００１５】
ここでは、閾値設定部３２が警報の誤動作を回避するため、閾値を変化させる内容について説明する。例えば親機２０を金属上に置いたときや子機１０の置き忘れ防止機能用アンテナ１３と親機２０の置き忘れ防止機能用アンテナ２６との放射パターンがちょうどヌル同士の関係になったとき等、子機１０から受信した電波のＲＳＳＩが瞬時に大きく変動するような条件のとき、子機１０から受信した電波のＲＳＳＩは２０ｄＢ以上低下すると考えられる。なお、２０ｄＢという値は一例である。
【００１６】
一方、人間の歩行スピードと電波の伝播損失とを考えたとき、子機１０から受信した電波のＲＳＳＩは、せいぜい数ｄＢ／秒程度の低下であると考えられ、瞬時にＲＳＳＩが２０ｄＢ以上も急激に低下することは考えられない。
【００１７】
そこで、置き忘れ制御部２９は単位時間辺りのＲＳＳＩ変動量を観測することで、子機１０を携帯している使用者が親機２０から遠ざかり、伝播損失が増加したことによるＲＳＳＩの低下か、親機２０を金属上に置いたときや子機１０の置き忘れ防止機能用アンテナ１３と親機２０の置き忘れ防止機能用アンテナ２６との放射パターンがちょうどヌル同士の関係になったとき等、劣悪環境下に親機２０が置かれたことによるＲＳＳＩの低下かを判別する。
【００１８】
閾値設定部３２は、劣悪環境下に親機２０が置かれたことによるＲＳＳＩの低下であると判別した場合、使用者が親機２０から遠ざかり、伝播損失が増加したことによるＲＳＳＩの低下であると判別した場合の閾値よりも例えば２０ｄＢ小さい閾値を設定することにより警報の誤動作を回避する。また、閾値設定部３２は子機１０から受信した電波のＲＳＳＩが急激に回復した場合、劣悪環境下から親機２０が解放されたと判断し、使用者が親機２０から遠ざかり、伝播損失が増加したことによるＲＳＳＩの低下であると判別した場合の閾値に戻す。
【００１９】
このように、閾値設定部３２は伝播損失が増加したことによるＲＳＳＩの低下か、劣悪環境下に親機２０が置かれたことによるＲＳＳＩの低下かを判別し、その判別結果に基づいて閾値を変更することにより、警報の誤動作を回避できる。
【００２０】
図３は、置き忘れ制御部の処理手順を表した一例のフローチャートである。ステップＳ１に進み、受信レベル測定部３１は、子機１０から受信した電波のＲＳＳＩ（１）を測定する。ステップＳ２に進み、受信レベル測定部３１は測定したＲＳＳＩ（１）を受信レベル保存部３４に保存する。
【００２１】
ステップＳ３に進み、警報出力要求部３３はステップＳ２で保存したＲＳＳＩ（１）と閾値とを比較する。なお、閾値の初期値は、使用者が親機２０から遠ざかり、伝播損失が増加したことによるＲＳＳＩの低下であると判別した場合の閾値（１）である。
【００２２】
ステップＳ２で保存したＲＳＳＩ（１）が閾値より低ければ、警報出力要求部３３はステップＳ４に進み、携帯電話制御部２３経由で外部出力２４にブザー等の警報を出力させる。ステップＳ５に進み、置き忘れ制御部２９は携帯電話制御部２３経由でキー等の入力部２５からの使用者による操作に基づき、リセットされたあと、ステップＳ１に戻る。
【００２３】
ステップＳ２で保存したＲＳＳＩ（１）が閾値より高ければ、ステップＳ６に進み、受信レベル測定部３１は子機１０から受信した電波のＲＳＳＩ（２）が受信レベル保存部３４に保存されていないかを判定する。
【００２４】
子機１０から受信した電波のＲＳＳＩ（２）が受信レベル保存部３４に保存されていなければ、受信レベル測定部３１はステップＳ７に進み、子機１０から受信した電波のＲＳＳＩ（２）を測定する。ステップＳ８に進み、受信レベル測定部３１は、測定したＲＳＳＩ（２）を受信レベル保存部３４に保存する。
【００２５】
ステップＳ９に進み、閾値設定部３２はステップＳ２で受信レベル保存部３４に保存したＲＳＳＩ（１）とステップＳ８で受信レベル保存部３４に保存したＲＳＳＩ（２）との差を算出し、算出した差が２０ｄＢ以内であるか否かを判定する。算出した差が２０ｄＢ以内であれば、閾値設定部３２はステップＳ１０に進み、閾値（１）を設定する。算出した差が２０ｄＢ以内でなければ、閾値設定部３２はステップＳ１１に進み、閾値（２）を設定する。なお、閾値（２）は劣悪環境下に親機２０が置かれたことによるＲＳＳＩの低下であると判別した場合の閾値である。
【００２６】
また、ステップＳ６において、子機１０から受信した電波のＲＳＳＩ（２）が受信レベル保存部３４に保存されていれば、閾値設定部３２はステップＳ１５に進み、受信レベル保存部３４に保存したＲＳＳＩ（１）とＲＳＳＩ（２）との差を算出し、算出した差が２０ｄＢ以内であるか否かを判定する。算出した差が２０ｄＢ以内であれば、閾値設定部３２はステップＳ１６に進み、閾値（１）を設定する。算出した差が２０ｄＢ以内でなければ、閾値設定部３２はステップＳ１７に進み、閾値（２）を設定する。
【００２７】
ステップＳ１０，Ｓ１１，Ｓ１６及びＳ１７に続いてステップＳ１２に進み、警報出力要求部３３は受信レベル保存部３４に保存したＲＳＳＩ（２）と、ステップＳ１０，Ｓ１１，Ｓ１６及びＳ１７の何れかで設定された閾値（１）又は閾値（２）とを比較する。
【００２８】
受信レベル保存部３４に保存したＲＳＳＩ（２）が、ステップＳ１０，Ｓ１１，Ｓ１６及びＳ１７の何れかで設定された閾値（１）又は閾値（２）より低ければ、警報出力要求部３３はステップＳ１３に進み、携帯電話制御部２３経由で外部出力２４にブザー等の警報を出力させる。ステップＳ１４に進み、置き忘れ制御部２９は携帯電話制御部２３経由でキー等の入力部２５からの使用者による操作に基づき、リセットされたあと、ステップＳ１に戻る。受信レベル保存部３４に保存したＲＳＳＩ（２）が、ステップＳ１０，Ｓ１１，Ｓ１６及びＳ１７の何れかで設定された閾値（１）又は閾値（２）より高ければ、置き忘れ制御部２９はステップＳ１に戻る。
【００２９】
図３のフローチャートに示したように、置き忘れ制御部２９は受信レベル保存部３４を有しており、測定されたＲＳＳＩ（１）とＲＳＳＩ（２）とを交互に保存している。ＲＳＳＩ（１）は前回測定した電波の受信レベルの一例である。ＲＳＳＩ（２）は今回測定した電波の受信レベルの一例である。
【００３０】
閾値設定部３２は、保存されているＲＳＳＩ（１）とＲＳＳＩ（２）とを比較し、両者の差が２０ｄＢ以内であれば閾値（１）を設定して警報出力要求部３３に利用させ、両者の差が２０ｄＢ以上であれば閾値（２）を設定して警報出力要求部３３に利用させる。閾値（１）と閾値（２）とは、閾値（１）＞閾値（２）という関係である。閾値（２）は劣悪環境下に親機２０が置かれたことによるＲＳＳＩの低下であると判別した場合の閾値であり、警報が誤動作しない値に設定される。
【００３１】
図４は置き忘れ防止システムの動作を説明する為の説明図である。図４（Ｂ）は金属上に置いたときや子機１０の置き忘れ防止機能用アンテナ１３と親機２０の置き忘れ防止機能用アンテナ２６との放射パターンがちょうどヌル同士の関係になったとき等、劣悪環境下における置き忘れ防止システムの動作を表している。また、図４（Ａ）は劣悪環境下以外のノーマル環境下における置き忘れ防止システムの動作を表している。
【００３２】
なお、図４ではノーマル環境下の閾値（１）を−８０ｄＢｍに設定し、劣悪環境下の閾値（２）を−１００ｄＢｍに設定している。図４（Ａ）では子機１０から受信した電波のＲＳＳＩが−７０ｄＢｍであるので、閾値（１）の−８０ｄＢｍより大きく、警報が動作しない。
【００３３】
もし、図４（Ａ）に示したノーマル環境下の閾値（１）、子機１０と親機２０との距離関係のまま、親機２０を板金上に置いた場合は、親機２０が劣悪環境下となる。親機２０は例えば置き忘れ防止機能用アンテナ２６のアンテナ特性が２０ｄＢ劣化し、子機１０から受信した電波のＲＳＳＩが−９０ｄＢｍとなる。したがって、親機２０は子機１０から受信した電波のＲＳＳＩが閾値（１）より１０ｄＢ低下し、警報が誤動作してしまう。
【００３４】
そこで、図４（Ｂ）に示すように、親機２０は劣悪環境下に置かれると、劣悪環境下の閾値（２）を利用する。親機２０は例えば置き忘れ防止機能用アンテナ２６のアンテナ特性が２０ｄＢ劣化し、子機１０から受信した電波のＲＳＳＩが−９０ｄＢｍとなるが、閾値（２）の−１００ｄＢｍより１０ｄＢ大きく、警報が誤動作しない。
【００３５】
実施例１では受信側である親機２０が劣悪環境に置かれた場合を説明したが、子機１０が劣悪環境に置かれた場合も同様である。このように、実施例１の置き忘れ防止システム１は警報の誤動作を回避でき、信頼性を高めることができる。
【実施例２】
【００３６】
図５は置き忘れ防止システムの第２実施例のシステム構成図である。図５の置き忘れ防止システム１は、一部を除いて図１の置き忘れ防止システム１と同一であるため、同一部分について同一符号を付して適宜説明を省略する。
【００３７】
図５の置き忘れ防止システム１は、図１の置き忘れ防止システム１と同様、子機１０及び親機２０を有する構成である。子機１０は受信部５１，置き忘れ制御部５２，置き忘れ防止機能用アンテナ５３及び外部出力５８を有する構成である。受信部５１，置き忘れ制御部５２及び置き忘れ防止機能用アンテナ５３は、図１の置き忘れ防止システム１の受信部２８，置き忘れ制御部２９及び置き忘れ防止機能用アンテナ２６に対応する。
【００３８】
親機２０は、送信モジュール５４，無線部２２，携帯電話制御部２３，ブザー等の外部出力２４，キー等の入力部２５及び携帯電話用アンテナ２７を有する構成である。送信モジュール５４は送信部５５，制御部５６及び置き忘れ防止機能用アンテナ５７を有する構成である。送信部５５，制御部５６及び置き忘れ防止機能用アンテナ５７は、図１の置き忘れ防止システム１の送信部１１，制御部１２及び置き忘れ防止機能用アンテナ１３に対応する。
【００３９】
親機２０は制御部５６が送信部５５を制御し、所定時間毎に（一定の間隔で）親機２０の固有情報を含んだ変調波を置き忘れ防止機能用アンテナ５７から送信する。子機１０は置き忘れ制御部５２が受信部５１を制御し、親機２０からの電波を置き忘れ防止機能用アンテナ５３で受信する。
【００４０】
置き忘れ制御部５２は、親機２０から受信した電波の信号強度（ＲＳＳＩ）を監視している。ＲＳＳＩが閾値以下になると、置き忘れ制御部５２は外部出力５８にブザー等の警報を出力（鳴動）させる。なお、置き忘れ制御部５２のブロック図は図２のブロック図と同様であり、説明を省略する。置き忘れ制御部５２の処理手順も図３のフローチャートと同様であり、説明を省略する。
【００４１】
このように、子機１０の置き忘れ制御部５２は伝播損失が増加したことによるＲＳＳＩの低下か、劣悪環境下に親機２０が置かれたことによるＲＳＳＩの低下かを判別し、その判別結果に基づいて閾値を変更することにより、警報の誤動作を回避できる。
【００４２】
なお、実施例１と同様、実施例２は受信側である子機１０が劣悪環境に置かれた場合であっても、送信側である親機２０が劣悪環境に置かれた場合であっても対応できる。このように、実施例２の置き忘れ防止システム１は警報の誤動作を回避でき、信頼性を高めることができる。
【実施例３】
【００４３】
図６は置き忘れ防止システムの第３実施例のシステム構成図である。図６の置き忘れ防止システム１は、子機１０及び親機６０を有する構成である。子機１０は無線機の一例である。親機６０は、情報処理装置の一例としてのパーソナルコンピュータ（以下、ＰＣという）である。使用者は子機１０を例えば衣服のポケット等に入れて携帯しておき、親機６０から一定距離以上離れたときに親機６０の警報を出力させることで、親機６０の置き忘れを防止するものである。
【００４４】
子機１０は送信部１１，制御部１２及び置き忘れ防止機能用アンテナ１３を有する構成である。親機６０は受信モジュール２１を有する構成である。なお、受信モジュール２１は、親機６０に予め内蔵されているものであっても、親機６０とデータ通信可能に接続可能なＰＣカードや外部機器などであってもよい。
【００４５】
受信モジュール２１は、置き忘れ防止機能用アンテナ２６，受信部２８及び置き忘れ制御部２９を有する構成である。子機１０は制御部１２が送信部１１を制御し、所定時間毎に（一定の間隔で）子機１０の固有情報を含んだ変調波を置き忘れ防止機能用アンテナ１３から送信する。親機６０は置き忘れ制御部２９が受信部２８を制御し、子機１０からの電波を置き忘れ防止機能用アンテナ２６で受信する。
【００４６】
置き忘れ制御部２９は、子機１０から受信した電波の信号強度（ＲＳＳＩ）を監視している。ＲＳＳＩが閾値以下（圏外）になると、置き忘れ制御部２９は親機６０にブザー等の警報を出力（鳴動）させる。なお、置き忘れ制御部２９は送信モジュール２１が外部出力（図示せず）を有する構成であれば、外部出力にブザー等の警報を出力（鳴動）させてもよい。
【００４７】
なお、置き忘れ制御部２９のブロック図は図２のブロック図と同様であり、説明を省略する。置き忘れ制御部２９の処理手順も図３のフローチャートと同様であり、説明を省略する。
【００４８】
図６では送信モジュール２１が置き忘れ制御部２９を有する構成であるが、親機６０で実行される置き忘れ防止プログラムにより置き忘れ制御部２９を実現してもよい。図７は置き忘れ防止プログラムにより置き忘れ制御部を実現するＰＣの一例のハードウェア構成図である。
【００４９】
親機６０は、バスＢで相互に接続されている入力装置６１，出力装置６２，ドライブ装置６３，補助記憶装置６４，主記憶装置６５，演算処理装置６６およびインターフェース装置６７を含むように構成されている。
【００５０】
入力装置６１はキーボードやマウスなどで構成され、各種信号を入力するために用いられる。出力装置６２はディスプレイ装置などで構成され、各種ウインドウやデータ等を表示するために用いられる。インターフェース装置６７は、例えば受信モジュール２１に接続する為に用いられる。
【００５１】
置き忘れ防止プログラムは、親機６０を制御する各種プログラムの一部である。置き忘れ防止プログラムは例えば記録媒体６８の配布やネットワークからのダウンロードなどによって提供される。置き忘れ防止プログラムを記録した記録媒体６８はＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００５２】
また、置き忘れ防止プログラムを記録した記録媒体６８がドライブ装置６３にセットされると、置き忘れ防止プログラムは記録媒体６８からドライブ装置６３を介して補助記憶装置６４にインストールされる。ネットワークからダウンロードされた置き忘れ防止プログラムも補助記憶装置６４にインストールされる。
【００５３】
補助記憶装置６４はインストールされた置き忘れ防止プログラムを格納すると共に、必要なファイル，データ等を格納する。主記憶装置６５は、起動時に補助記憶装置６４から置き忘れ防止プログラムを読み出して格納する。そして、演算処理装置６６は主記憶装置６５に格納された置き忘れ防止プログラムに従って、前述したような置き忘れ制御部２９の各種処理を実現している。
【００５４】
このように、親機６０の置き忘れ制御部２９は伝播損失が増加したことによるＲＳＳＩの低下か、劣悪環境下に親機６０が置かれたことによるＲＳＳＩの低下かを判別し、その判別結果に基づいて閾値を変更することにより、警報の誤動作を回避できる。なお、実施例１と同様、実施例３は送信側である子機１０が劣悪環境に置かれた場合であっても、受信側である親機６０が劣悪環境に置かれた場合であっても対応できる。また、実施例２と同様、実施例３は親機２０を送信側、子機１０を受信側としてもよい。以上、実施例３の置き忘れ防止システム１は警報の誤動作を回避でき、信頼性を高めることができる。
【００５５】
実施例１〜３の置き忘れ防止システム１は受信した電波のＲＳＳＩが閾値以下になったときに警報を鳴動させる例を説明したが、例えば親機２０を使用不能にするというような仕組みも可能である。
【００５６】
本発明は、以下に記載する付記のような構成が考えられる。
（付記１）
無線機から送信される電波を受信し、前記電波の受信レベルが閾値以下であると警報を出力する携帯端末装置であって、
前記無線機から送信される電波の受信レベルを、所定時間毎に測定する受信レベル測定部と、
前回測定した電波の受信レベルと今回測定した電波の受信レベルとの差を算出し、算出した差が所定値以下である場合に第１の閾値を設定し、算出した差が所定値以上である場合に第１の閾値よりも小さい第２の閾値を設定する閾値設定部と、
前記今回測定した電波の受信レベルと前記閾値設定部により設定された前記第１の閾値又は前記第２の閾値と比較し、前記今回測定した電波の受信レベルが前記閾値設定部により設定された前記第１の閾値又は前記第２の閾値以下である場合に警報出力部に警報を出力させる警報出力要求部と
を有する携帯端末装置。
（付記２）
前記警報出力要求部は、前記前回測定した電波の受信レベルと前記閾値設定部により設定された前記第１の閾値又は前記第２の閾値と比較し、前記前回測定した電波の受信レベルが前記閾値設定部により設定された前記第１の閾値又は前記第２の閾値以下である場合に警報出力部に警報を出力させる付記１記載の携帯端末装置。
（付記３）
前記無線機から送信される電波を受信する受信部は、前記無線機の固有情報を含んだ電波を受信する付記１又は２記載の携帯端末装置。
（付記４）
携帯端末装置から送信される電波を受信し、前記電波の受信レベルが閾値以下であると警報を出力する無線機であって、
前記携帯端末装置から送信される電波の受信レベルを、所定時間毎に測定する受信レベル測定部と、
前回測定した電波の受信レベルと今回測定した電波の受信レベルとの差を算出し、算出した差が所定値以下である場合に第１の閾値を設定し、算出した差が所定値以上である場合に第１の閾値よりも小さい第２の閾値を設定する閾値設定部と、
前記今回測定した電波の受信レベルと前記閾値設定部により設定された前記第１の閾値又は前記第２の閾値と比較し、前記今回測定した電波の受信レベルが前記閾値設定部により設定された前記第１の閾値又は前記第２の閾値以下である場合に警報出力部に警報を出力させる警報出力要求部と
を有する無線機。
（付記５）
無線機から送信される電波を受信し、前記電波の受信レベルが閾値以下であると警報を出力する情報処理装置であって、
前記無線機から送信される電波を受信する受信部と、
受信した電波の受信レベルを、所定時間毎に測定する受信レベル測定部と、
前回測定した電波の受信レベルと今回測定した電波の受信レベルとの差を算出し、算出した差が所定値以下である場合に第１の閾値を設定し、算出した差が所定値以上である場合に第１の閾値よりも小さい第２の閾値を設定する閾値設定部と、
前記今回測定した電波の受信レベルと前記閾値設定部により設定された前記第１の閾値又は前記第２の閾値と比較し、前記今回測定した電波の受信レベルが前記閾値設定部により設定された前記第１の閾値又は前記第２の閾値以下である場合に警報出力部に警報を出力させる警報出力要求部と
を有する情報処理装置。
（付記６）
無線機から送信される電波を受信し、前記電波の受信レベルが閾値以下であると警報を出力する情報処理装置を、
前記無線機から送信される電波を受信する受信部と、
受信した電波の受信レベルを、所定時間毎に測定する受信レベル測定部と、
前回測定した電波の受信レベルと今回測定した電波の受信レベルとの差を算出し、算出した差が所定値以下である場合に第１の閾値を設定し、算出した差が所定値以上である場合に第１の閾値よりも小さい第２の閾値を設定する閾値設定部と、
前記今回測定した電波の受信レベルと前記閾値設定部により設定された前記第１の閾値又は前記第２の閾値と比較し、前記今回測定した電波の受信レベルが前記閾値設定部により設定された前記第１の閾値又は前記第２の閾値以下である場合に警報出力部に警報を出力させる警報出力要求部と
して機能させるための置き忘れ防止プログラム。
【００５７】
本発明は、具体的に開示された実施例に限定されるものではなく、特許請求の範囲から逸脱することなく、種々の変形や変更が可能である。
【図面の簡単な説明】
【００５８】
【図１】置き忘れ防止システムの第１実施例のシステム構成図である。
【図２】置き忘れ制御部の一例のブロック図である。
【図３】置き忘れ制御部の処理手順を表した一例のフローチャートである。
【図４】置き忘れ防止システムの動作を説明する為の説明図である。
【図５】置き忘れ防止システムの第２実施例のシステム構成図である。
【図６】置き忘れ防止システムの第３実施例のシステム構成図である。
【図７】置き忘れ防止プログラムにより置き忘れ制御部を実現するＰＣの一例のハードウェア構成図である。
【符号の説明】
【００５９】
１    置き忘れ防止システム
１０    子機
１１    送信部
１２    制御部
１３，２６，５３    置き忘れ防止機能用アンテナ
２０，６０    親機
２１    受信モジュール
２２    無線部
２３    携帯電話制御部
２４，５８    外部出力
２５    入力部
２７    携帯電話用アンテナ
２８，５１    受信部
２９，５２    置き忘れ制御部
３１    受信レベル測定部
３２    閾値設定部
３３    警報出力要求部
３４    受信レベル保存部
６１    入力装置
６２    出力装置
６３    ドライブ装置
６４    補助記憶装置
６５    主記憶装置
６６    演算処理装置
６７    インターフェース装置
６８    記録媒体
【図１】
2009225194.tif 000003
【図２】
2009225194.tif 000004
【図３】
2009225194.tif 000005
【図４】
2009225194.tif 000006
【図５】
2009225194.tif 000007
【図６】
2009225194.tif 000008
【図７】
2009225194.tif 000009